(57)【特許請求の範囲】
【請求項１】
被施療者の脚部をマッサージするための脚施療部を一面側に有するとともに、該脚施療部の反対面側には脚部を載せておくための脚載部を有する本体部と、上記本体部から両側方に向けて一体に延出される回転軸体を中心に上記本体部を回転自在に支持する支持台部と、上記本体部を所望の回転位置で固定するロック機構とを具備する回転式脚マッサージ機において、上記ロック機構は、上記回転軸体に同軸上に固定されるとともにその外周縁に複数の係合部を有する回転ディスクと、回転軸体の軸方向と直交する方向に沿って進退自在であって上記係合部に係合するロック位置と係合を外れる解除位置との間で進退操作されるロックピンと、上記ロックピンを進退させる操作レバー部と、ロックピンを進退方向に摺動自在に保持するガイドレール部と、を具備するものであり、上記操作レバー部は、上記回転軸体の軸方向及びロックピンの進退方向と直交する方向を軸方向とするレバー軸と、レバー軸側からロックピン側に向けて延設されるレバー作用突部と、レバー軸側からロックピンの進退方向に沿って延設されるレバー操作体とを備え、レバー作用突部とレバー操作体とをレバー軸廻りに一体に回転自在に設けたものであり、上記ロックピンは、ガイドレール部内で摺動する摺動軸部と、ガイドレール部外に突出するように摺動軸部からその進退方向と直交する方向へと突設されて回転ディスクの係合部と係合するロック部と、摺動軸部から該ロック部と平行に突設される作用部と、を有するものであり、上記操作レバー部のレバー作用突部が、上記ロックピンの作用部と摺接してロックピンを操作することを特徴とする回転式脚マッサージ機。
【請求項２】
上記ロック機構は、ロック位置にあるロックピンを回転ディスク外周縁の接線方向両側において支持する補強板を備えるものであることを特徴とする請求項１に記載の回転式脚マッサージ機。
【発明の詳細な説明】
【技術分野】
【０００１】
本発明は、脚施療部の反対面に脚載部を有する本体部を、回転自在に備えて成る回転式脚マッサージ機に関するものである。
【背景技術】
【０００２】
従来から、エアバッグ等の施療手段を配してある脚施療部を一面側に有し、その反対面側には脚部を載せておくことのできる脚載部を有する本体部と、上記本体部から一体に延設してある回転軸体廻りに上記本体部を回転自在に支持する支持台部とを具備する回転式脚マッサージ機が知られている（特許文献１参照）。被施療者は、本体部の脚施療部側が上方乃至側方を向くようにセットして自らの脚部を該脚施療部内に保持させ、この状態で施療手段を適宜駆動させることで脚部にマッサージを施すことができる。また本体部を反転させて脚載部が上側を向くようにセットすれば、脚載部の平坦面上に脚部を載せておく脚載せ台としても利用可能になっている。この回転式脚マッサージ機には、本体部を複数段階の回転位置で固定することができるロック機構を備えており、設置してある操作レバー部を引くことでロック機構によるロック状態を解除できるようになっている。
【０００３】
従来の回転式脚マッサージ機における上記ロック機構は、本体部から延設してある回転軸体と同軸上である位置にロックピンや操作レバー部を配置した構造であり、この操作レバー部を外側に引き上げることで、ロック状態にあるロックピンを上記回転軸体から軸方向に離れるように移動させ、これによりロック状態を解除させる構造になっている。
【０００４】
しかし上記構成のものにおいては、ロックピンや操作レバー部がいずれも回転軸体と同軸上の位置となるために回転式脚マッサージ機全体が軸方向に大型のものとなり、特に不使用時に収納しておく際に居住空間を圧迫するといった問題がある。また、回転軸体の軸中心近くにロックピンが係合する構造であるため、回転を固定する際にロックピンやこのロックピンを保持するための各部材が大きな負荷を受けることとなり、ロック機構の繰り返し安全性が低くなるといった問題もある。更に、操作レバー部を設置する位置も回転軸体と同軸上に制限されるため、使用者にとって使い勝手の良い場所に操作レバー部を設置して操作性向上を図ることが困難であるといった問題がある。
【特許文献１】特開２００４−１８１０３５号公報
【発明の開示】
【発明が解決しようとする課題】
【０００５】
本発明は上記問題点に鑑みて発明したものであって、住居空間を圧迫することのないスリムな構造であるとともに、ロック機構の繰り返し安全性が高く、且つ操作レバー部を使用者にとって操作し易い適宜箇所に設置することが容易な回転式脚マッサージ機を提供することを課題とするものである。
【課題を解決するための手段】
【０００６】
上記課題を解決するために本発明を、被施療者の脚部をマッサージするための脚施療部１を一面側に有するとともに、該脚施療部１の反対面側には脚部を載せておくための脚載部２を有する本体部３と、上記本体部３から両側方に向けて一体に延出される回転軸体７を中心に上記本体部３を回転自在に支持する支持台部４と、上記本体部３を所望の回転位置で固定するロック機構３０とを具備する回転式脚マッサージ機において、上記ロック機構３０は、上記回転軸体７に同軸上に固定されるとともにその外周縁に複数の係合部１３を有する回転ディスク１１と、回転軸体７の軸方向と直交する方向に沿って進退自在であって上記係合部１３に係合するロック位置と係合を外れる解除位置との間で進退操作されるロックピン１４とを具備するものとする。
【０００７】
上記構成の回転式脚マッサージ機とすることで、回転式脚マッサージ機全体が軸方向にコンパクトな構造となり、住居空間を圧迫することのないスリムな外形となる。また、ロックピン１４は回転軸体７の軸中心から回転ディスク１１の略半径分だけ離れた箇所で係合する構造であるため、回転を固定する際にロックピン１４やこのロックピン１４を保持するための各部材が受ける負荷が小さくて済む。これによりロック機構３０の繰り返し安全性が向上する。更に、ロックピン１４の設置位置は回転軸体７の軸中心から離れた自由な位置に設定することができるので、このロックピン１４を操作するための操作レバー部を設置する場合に、この操作レバー部についても回転軸体７の軸中心から離れた自由な位置に設置して使用者の操作性を向上させることが容易である。
【０００８】
また上記構成の回転式脚マッサージ機にあっては、上記ロックピン１４を進退させる操作レバー部１０として、上記回転軸体７の軸方向及びロックピン１４の進退方向と直交する方向を軸方向とするレバー軸２２と、レバー軸２２側からロックピン１４側に向けて延設されるレバー作用突部２１ｃと、レバー軸２２側からロックピン１４の進退方向に沿って延設されるレバー操作体１９とを備え、レバー作用突部２１ｃとレバー操作体１９とをレバー軸２２廻りに一体に回転自在に設けるものとする。
【０００９】
このようにすることで、レバー作用突部２１ｃとレバー操作体１９とを一体に有する操作レバー部１０全体が梃子のように働き、レバー操作体１９を回転させるだけで、ロックピン１４を容易に操作することができる。また、レバー軸２２の中心軸とレバー作用突部２１ｃとの間の距離と、レバー軸２２の中心軸とレバー操作体１９との間の距離を適宜設定すれば、弱い力でも強い操作力を発揮することが可能である。
【００１０】
更に上記ロック機構３０は、ロックピン１４を進退方向に摺動自在に保持するガイドレール部１５を備えるものであり、且つ上記ロックピン１４は、ガイドレール部１５内で摺動する摺動軸部１４ａと、ガイドレール部１５外に突出するように摺動軸部１４ａからその進退方向と直交する方向へと突設されて回転ディスク１１の係合部１３と係合するロック部１４ｂと、摺動軸部１４ａから該ロック部１４ｂと平行に突設される作用部１４ｃと、を有するものであり、上記操作レバー部１０のレバー作用突部２１ｃが、上記ロックピン１４の作用部１４ｃと摺接してロックピン１４を操作するものとする。
【００１１】
このように、ロックピン１４のうち進退方向に摺動する摺動軸部１４ａと、回転ディスク１１の係合部１３に係合されるロック部１４ｂとを別々に設け、両者１４ａ，１４ｂの距離を隔てるとともに摺動軸部１４ａはガイドレール部１５内に保持させておくことで、ロック部１４ｂにて生じる磨耗粉が摺動軸部１４ａ側にまで侵入して不具合を生じるといった事態が防止される。
【００１２】
更に上記ロック機構３０は、ロック位置にあるロックピン１４を回転ディスク１１外周縁の接線方向両側において支持する補強板１８を備えるものであることが好適である。このようにすることで、ロックピン１４にかかる回転ロック時の負荷をこの補強板１８に受けさせることができ、これにより回転ガタが減少された安全な商品として提供することが可能になる。
【発明の効果】
【００１３】
本発明は、住居空間を圧迫することのないスリムな構造であるとともに、ロック機構の繰り返し安全性が高く、且つ操作レバー部を使用者にとって操作し易い適宜箇所に設置することが容易になるといった効果を奏する。
【発明を実施するための最良の形態】
【００１４】
以下、本発明を添付図面に示す実施形態に基づいて説明する。図５には、本発明の実施形態における一例の回転式脚マッサージ機の全体を示している。図示の如く、本例の回転式脚マッサージ機は従来のものと同様に、被施療者の脚部をマッサージするためのエアバッグ（図示せず）を配してある脚施療部１を一面側に有するとともに該脚施療部１の反対面側には脚部を載せておくための脚載部２を有する本体部３と、上記本体部３を水平軸廻りに回転自在に支持する支持台部４とで主体を成すものである。
【００１５】
上記本体部３の脚施療部１側には、被施療者の左右の脚部をそれぞれ嵌入させる一対の溝部５を設けてあり、この溝部５の内壁部にエアバッグを配置しておくことで、エアバッグの膨縮により各溝部５に嵌入される脚部に適宜マッサージを施すことが可能になっている。上記脚施療部１の溝部５を設けてある側と反対側の面には、一面の開口した箱型を成す脚載部２の開口縁部分を固定するようになっており、上記固定によって、脚施療部１と脚載部２を反対側に設けた本体部３全体の外形を形成するものである。箱型を成す脚載部２の外底面には略平坦な載置面６を形成しており、被施療者はこの載置面６上に自らの脚部を載せて休ませることが可能になっている。
【００１６】
なお図示はしていないが、上記本体部３内（即ち、脚施療部１の背面と脚載部２内面との間に形成される空間内）には、脚施療部１の溝部５に配される各エアバッグへの給気を行うエアポンプユニットや、このエアポンプユニットから各エアバッグへの配管や、この配管中に配される電磁弁や、これらエアポンプユニットや電磁弁を制御する制御回路といった全ての制御機構を収納させてある。
【００１７】
上記本体部３の脚施療部１の左右両側面には、それぞれ水平方向を軸方向とする回転軸体７を一体に延設してある（図４参照）。上記支持台部４は、この左右一対の回転軸体７をそれぞれ水平軸廻りに回転自在に支持する左右一対の支持脚部８と、左右の支持脚部８を水平方向につなぐ細長形状の補助フレーム９とで主体を成している。一方の支持脚部８には操作レバー部１０を備えており、この操作レバー部１０の下端を外側に引き上げることで、本体部３の回転を禁止する後述のロック機構３０のロックを解除する構造である。
【００１８】
次に、本例のロック機構３０の構成について詳細に述べる。図４に示すように、円柱状を成す回転軸体７の先端面には、この回転軸体７よりも充分に大径としてある略円板状の回転ディスク１１を、複数本の固定ねじ１２を介して同軸上に固定してある。この回転ディスク１１の外周縁には、凹溝状を成す係合部１３を周方向に所定間隔を空けて複数形成してある。上記係合部１３は、後述のロックピン１４に形成してあるロック部１４ｂが嵌入され、これにより回転ディスク１１延いては本体部３全体の回転が一体にロックされるように設けてある。
【００１９】
ロックピン１４は、支持脚部８の側板面に固定されるガイドレール部１５内において、回転軸体７の軸方向（即ち水平方向）と直交する方向（図示例では上下方向）に向けて一定範囲内で進退自在に収納されている。上記ガイドレール部１５は、ロックピン１４を上下方向に摺動自在に保持するレール部材１６と、このレール部材１６を一体に組み込むとともに支持脚部８に取付固定される保持部材１７と、ガイドレール部１５内においてロックピン１４の下方に配置されるコイルばねから成る戻しばね２５とで主体を成すものである。上記ガイドレール部１５を組立てた状態で、上記戻しばね２５はその下端を保持部材１７の内底面に当てるとともにその上端をロックピン１４の下端面に当てて圧縮される状態にあり、ロックピン１４に対して常に上方に向けて付勢力を与えるようになっている。
【００２０】
上記ロックピン１４は、ガイドレール部１５内において上下方向に摺動自在に配される棒状の摺動軸部１４ａと、該摺動軸部１４ａの上端部から進退方向と直交する方向に突設されるロック部１４ｂと、該摺動軸部１４ａのロック部１４ｂを突設してある箇所から所定間隔を空けた下方箇所からロック部１４ｂと平行に突設される作用部１４ｃとで、側面視Ｆ字状に形成したものである。ガイドレール部１５を形成するレール部材１６及び保持部材１７には、上記ロックピン１４のロック部１４ｂ及び作用部１４ｃを外部に突出させる窓部１６ａ，１７ａをそれぞれ形成してあり、連通する両窓部１６ａ，１７ａから外部に突出したロック部１４ｂ及び作用部１４ｃが、摺動軸部１４ａと一体に上下方向に往復動するようになっている。
【００２１】
また上記保持部材１７の上端部には、この突出したロック部１４ｂが嵌入する開口溝１８ａを有する補強板１８を、一体に備えてある。上記補強板１８は、ロック部１４ｂが回転ディスク１１の係合部１３と係合する位置（以下これを「ロック位置」という）にあるとき、このロック位置にあるロック部１４ｂが開口溝１８ａ内に嵌り込むことで該ロック部１４ｂの両側面を回転ディスク１１外周縁の接線方向両側において支持するものである。
【００２２】
更に上記構成から成るガイドレール部１５には、ロックピン１４を上下方向に進退操作するための操作レバー部１０を、回動自在に組み付けてある。上記操作レバー部１０は、実際に使用者が指を引掛けて操作するレバー操作体１９を下方に突設させてある操作部材２０と、この操作部材２０の内面側に一体に固定させる枠部材２１と、この枠部材２１を上記ガイドレール部１５側の保持部材１７に対して回動自在に連結させるレバー軸２２とで主体を成すものである。
【００２３】
上記レバー軸２２は、回転軸体７の軸方向及びロックピン１４の進退方向と直交する方向を、その軸方向とする円柱形状の部材である。操作レバー部１０側の枠部材２１から延設してある内側一対及び外側一対の連結片２１ａと、ガイドレール部１５側の保持部材１７から延設してある一対の連結片１７ｂには、対向する位置に共に貫通孔２１ｂ，１７ｃが形成してあり、この貫通孔２１ｂ，１７ｃに上記レバー軸２２を貫通させて抜け止めを施すことで、上記レバー軸２２廻りに操作レバー部１０全体が回転自在となっている。操作レバー部１０の回転範囲は、枠部材２１の内面が保持部材１７の両連結片１７ｂに形成してあるスタート面１７ｅとエンド面１７ｆに当たることで規制される。
【００２４】
また上記枠部材２１には、内側で対を成す連結片２１ａの上端同士をつなぐ板状のレバー作用突部２１ｃをガイドレール部１５側に向けて一体に延設してあり、図３に示すように、このレバー作用突部２１ｃの先端部下面である作用面２１ｄが、ロックピン１４から突設される作用部１４ｃの上面と接触するようになっている。上記接触は、戻しばね２５の付勢力により常時なされるものである。
【００２５】
つまり本例における組立状態の操作レバー部１０にあっては、レバー軸２２側からロックピン１４側に向けてレバー作用突部２１ｃが延設されるとともに、レバー軸２２側からロックピン１４の進退方向に沿って（図示例では下方に向けて）レバー操作体１９が延設され、このレバー作用突部２１ｃとレバー操作体１９とがレバー軸２２廻りに一体に回転自在な構造になっている。そして、この水平方向に延設されるレバー作用突部２１ｃの先端部には、ロックピン１４と摺接してこれを進退操作する作用面２１ｄが形成され、下方に延設されるレバー操作体１９の先端部には、指を掛ける引掛け面１９ａが形成されているので、図３（ａ）に示す状態から上記引掛け面１９ａに指を引掛けて操作レバー部１０全体を外側に引き上げるように回転させれば、これに連動して内側に倒れ込むように回転するレバー作用突部２１ｃ先端の作用面２１ｄがロックピン１４の作用部１４ｃと摺接しながら該ロックピン１４を押し下げ、図３（ｂ）に示すように、ロック位置よりも下方であってロック部１４ｂが係合部１３との係合を外す位置（以下これを「解除位置」という）にまでロックピン１４を移動させる。ここで操作レバー部１０から指を離すと、戻しばね２５の付勢力によりロックピン１４がロック位置にまで復帰し、且つ操作レバー部１０が初期位置にまで戻ることは勿論である。
【００２６】
しかして、上記構成から成る本例の回転式脚マッサージ機にあっては、本体部３の脚載部２側を上方乃至斜め上方に向けた姿勢において該脚載部２の上面である載置面６上に脚部を載せて休ませることができる。このとき本体部３の回転は、上記ロック機構３０によってロックさせておく。そしてマッサージを行いたい場合は、操作レバー部１０を引いてロックを解除したうえで本体部３を回転させ、脚施療部１側を上方乃至側方に向けた所望の姿勢に切換える。この姿勢で脚施療部１の溝部５内に脚部を嵌入させて外部コントローラ（図示せず）によりマッサージ開始を指令すれば、エアポンプ等から成る制御機構がエアバッグを給排気させることで脚部に揉みマッサージを施すことができる。このように本例の回転式脚マッサージ機にあっては、マッサージ時以外には脚載部２側を上にして脚部を載せて用いることができ、また簡易椅子として用いることも可能である。
【００２７】
なお上記したように本例のロック機構３０は、本体部３と一体である回転軸体７に対して同軸上に固定される回転ディスク１１と、この回転ディスク１１の外周縁において周方向に距離を隔てて複数形成される係合部１３に係合するロックピン１４とを具備するものであるから、本体部３はこれを反転させる間の複数段階にて回転がロック自在となっている。したがって、本体部３の姿勢を複数段階で切換えることで、例えば溝部５の内底面に足裏部分を当てるように脚部を嵌入させてマッサージを施すことも可能であるし、また膝下部分を床面上に立てた状態で溝部５内に脹脛部分を嵌入させてマッサージを施すことも可能である。
【００２８】
更に、このロックピン１４は、回転軸体７の軸方向と直交する方向に沿って進退自在であるとともに、上記回転ディスク１１が有する係合部１３のいずれか一つに係合するロック位置と、この係合部１３との係合状態から外れる解除位置との間で進退操作されるようになっているので、回転式脚マッサージ機全体は、軸方向にコンパクトな構造となって住居空間を圧迫することのないスリムな外形となる。加えて、ロックピン１４は、回転軸体７の軸中心から回転ディスク１１の略半径分だけの距離を隔てた箇所に係合してロックする構造であるため、回転をロックする際に、ロックピン１４やこのロックピン１４を保持するためのガイドレール部１５等の各部材が受ける負荷は小さくて済み、ロック機構３０の繰り返し安全性も高いものとなる。
【００２９】
また上記したように、本例にあってはロックピン１４を進退させる操作レバー部１０として、上記回転軸体７の軸方向及びロックピン１４の進退方向と直交する方向がその軸方向となるように配されるレバー軸２２と、このレバー軸２２側からロックピン１４側に向けて延設されるロックピン１４操作用のレバー作用突部２１ｃと、同じくこのレバー軸２２側からロックピン１４の進退方向に沿うように（図示例では下方に向けて）延設されるレバー操作体１９とを備えている。そして、レバー作用突部２１ｃの先端部にはロックピン１４と摺接しながらこれを進退操作する作用面２１ｄを設け、レバー操作体１９の下端部には使用者が指を掛けて外側に引き上げるための引掛け面１９ａを設けるとともに、このレバー作用突部２１ｃとレバー操作体１９とが側面視Ｌ字状を成すよう一体を成して上記レバー軸２２廻りに回転自在となるよう設けているので、レバー操作体１９の先端を外側に引き上げればレバー軸２２を中心としてレバー作用突部２１ｃがロックピン１４を下方に押し下げ、ロックピン１４をロック位置から解除位置へと移動させるものである。
【００３０】
ここで、レバー軸２２の中心軸とレバー作用突部２１ｃの作用面２１ｄとの間の距離と、レバー軸２２の中心軸とレバー操作体１９の引掛け面１９ａとの間の距離では、前者よりも後者のほうを充分に長く設定してあるので、操作レバー部１０全体を梃子のように用いて、弱い力でも強い操作力を発揮することが可能である。このため、戻しばね２５として付勢力の強いものが使用可能になるので、ロックピン１４による安定したロックが実現されるものである。
【００３１】
更に上記したように、本例のロック機構３０には、ロックピン１４を進退方向（即ち上下方向）に摺動自在に保持するガイドレール部１５が備えてあり、且つ上記ロックピン１４は、このガイドレール部１５内において上下方向に摺動する棒状の摺動軸部１４ａと、この摺動軸部１４ａから水平方向に突設されるとともにガイドレール部１５の窓部１６ａ，１７ａを通じて外部に突出するロック部１４ｂとを一体に有するものである。つまり、ロックピン１４において、上下に摺動する摺動軸部１４ａと、回転ディスク１１の係合部１３と実際に係合するロック部１４ｂとを別々に分け、両者１４ａ，１４ｂの距離を隔てるとともに摺動軸部１４ａはガイドレール部１５内に収納してあるので、ロック部１４ｂにて生じる磨耗粉が摺動軸部１４ａ側にまで侵入して不具合を生じるといった事態が防止されるものである。
【００３２】
加えて、上記したように本例のロック機構３０には、少なくともロック位置にある状態のロックピン１４を、回転ディスク１１外周縁の接線方向（換言すればレバー軸２２の軸方向と平行な方向）の両外側から支持する補強板１８が備えてあり、この補強板１８をガイドレール部１５側に一体に固定させてある。したがって、ロックピン１４のロック部１４ｂにかかるロック時の負荷はこの補強板１８に受けさせることができ、ロックピン１４の摺動軸部１４ａ側にまで上記負荷の影響が及ぶことが防止される。これにより回転ガタも減少されて安全な商品を提供することが可能になる。
【００３３】
なお、本発明の回転式脚マッサージ機は、一対の回転軸体７の一方にのみロック機構３０を備えてあるが、両方の回転軸体７に備えてあっても構わない。その他の構成においても上記実施形態に限定されるものではなく、本発明の主旨を逸脱しない範囲内で適宜設計変更可能であることは勿論である。
【図面の簡単な説明】
【００３４】
【図１】本発明の実施形態における一例の回転式脚マッサージ機のロック機構主要部を示す分解斜視図である。
【図２】同上のロック機構の斜視図である。
【図３】同上のロック機構の断面図であり、（ａ）はロック状態、（ｂ）はロック解除状態を示している。
【図４】同上のロック機構の回転ディスク側の分解斜視図である。
【図５】同上の回転式脚マッサージ機の全体斜視図である。
【符号の説明】
【００３５】
１  脚施療部
２  脚載部
３  本体部
４  支持台部
７  回転軸体
１０  操作レバー部
１１  回転ディスク
１３  係合部
１４  ロックピン
１４ａ  摺動軸部
１４ｂ  ロック部
１５  ガイドレール部
１８  補強板
１９ａ  引掛け面
２１ｃ  レバー作用突部
２１ｄ  作用面
２２  レバー軸
３０  ロック機構
【図１】
0004506726.tif 000002
【図２】
0004506726.tif 000003
【図３】
0004506726.tif 000004
【図４】
0004506726.tif 000005
【図５】
0004506726.tif 000006